(57)【要約】【課題】対向放電構造を適用することにより，放電開始電圧を低く抑えるとともに発光効率を高めるプラズマディスプレイパネルを提供する。【解決手段】本発明のプラズマディスプレイパネルは，所定の間隔をおいて対向配置される第１基板１０および第２基板２０（以下，「両基板」とする）と，両基板の間の空間を区画することにより形成される複数の放電セル１８，２８と，両基板の間に，第１方向に沿って伸長して配設されるアドレス電極１２と，両基板の間に，アドレス電極１２から離隔して，第１方向と交差する第２方向に伸長して配設され，第１方向に沿って相隣接する放電セル１８，２８の各境界に対応する位置に，第１方向に交互に配設される第１電極３１および第２電極３２とを備える。【選択図】    図３
2006202719.tif 000002
【特許請求の範囲】
【請求項１】
所定の間隔をおいて対向配置される第１基板および第２基板と；
前記第１基板と前記第２基板との間の空間を区画することにより形成される複数の放電セルと；
前記第１基板と前記第２基板との間に，第１方向に沿って伸長して配設されるアドレス電極と;
前記第１基板と前記第２基板との間に，前記アドレス電極から離隔して，前記第１方向と交差する第２方向に伸長して配設され，前記第１方向に沿って相隣接する放電セルの各境界に対応する位置に，前記第１方向に交互に配設される第１電極および第２電極と；
を備え，
前記第１電極および前記第２電極は，前記第１基板および前記第２基板に対して垂直方向に拡張された横断面形状を有し，相互に所定の間隔をおいて対向に配設され，
前記アドレス電極は，前記第１電極または前記第２電極のいずれかに対応する前記相隣接する放電セルの各境界に対応する位置に，当該相隣接する放電セルのそれぞれに対応するように前記第２方向に突出する突出部を有することを特徴とする，プラズマディスプレイパネル。
【請求項２】
前記第１基板に隣接して複数の第１の放電空間を区画する第１隔壁層と；
前記第２基板に隣接して前記複数の第１の放電空間に対向する複数の第２の放電空間を区画する第２隔壁層と；
を備え，
対向する一対の前記第１の放電空間および前記第２の放電空間によって，前記放電セルが形成されることを特徴とする，請求項１に記載のプラズマディスプレイパネル。
【請求項３】
前記アドレス電極，前記第１電極および前記第２電極は，前記第１隔壁層と前記第２隔壁層との間に配設されることを特徴とする，請求項２に記載のプラズマディスプレイパネル。
【請求項４】
前記第２の放電空間は，前記第１の放電空間より，大きな容積を有することを特徴とする，請求項２または３のいずれかに記載のプラズマディスプレイパネル。
【請求項５】
前記第１隔壁層は，前記第１方向に伸長して形成される第１隔壁部材を含み，
前記第２隔壁層は，前記第１方向に伸長して形成される第３隔壁部材を含むことを特徴とする，請求項２〜４のいずれかに記載のプラズマディスプレイパネル。
【請求項６】
前記第１隔壁層は，前記第１隔壁部材と交差して形成される第２隔壁部材をさらに含み，
前記第２隔壁層は，前記第３隔壁部材と交差して形成される第４隔壁部材をさらに含むことを特徴とする，請求項５に記載のプラズマディスプレイパネル。
【請求項７】
前記アドレス電極は，前記第２方向に沿って相隣接する一対の放電セルの境界を通るように配設されることを特徴とする，請求項１〜６のいずれかに記載のプラズマディスプレイパネル。
【請求項８】
前記第１電極および前記第２電極は，金属電極で形成されることを特徴とする，請求項１〜７のいずれかに記載のプラズマディスプレイパネル。
【請求項９】
前記第１電極および前記第２電極と前記アドレス電極の外周には，誘電層が形成されることを特徴とする，請求項１〜８のいずれかに記載のプラズマディスプレイパネル。
【請求項１０】
前記誘電層の外面には，保護膜が形成されることを特徴とする，請求項９に記載のプラズマディスプレイパネル。
【請求項１１】
前記保護膜は，可視光非透過性であることを特徴とする，請求項１０に記載のプラズマディスプレイパネル。
【請求項１２】
前記アドレス電極は，前記第１基板側に隣接して配設され，
前記第１電極および前記第２電極は，前記第２基板側に隣接して配設され，
前記アドレス電極の前記第２基板側の端部が形成する仮想線と，前記第１電極および前記第２電極の前記第１基板側の端部が形成する仮想線との間には，所定の間隔が形成されることを特徴とする，請求項１〜１１のいずれかに記載のプラズマディスプレイパネル。
【請求項１３】
前記アドレス電極の前記両基板に対して垂直方向の厚さは，前記第１電極の前記両基板に対して垂直方向の厚さと比べて，薄いことを特徴とする，請求項１〜１２のいずれかに記載のプラズマディスプレイパネル。
【請求項１４】
前記アドレス電極の前記両基板に対して垂直方向の厚さは，前記第２電極の前記両基板に対して垂直方向の厚さと比べて，薄いことを特徴とする，請求項１〜１３のいずれかに記載のプラズマディスプレイパネル。
【請求項１５】
前記各放電セル内に形成される蛍光体層は，
前記放電セルの前記第１基板側に形成される第１蛍光体層と，
前記第１蛍光体層の蛍光体と同一の色相の蛍光体で形成され，前記放電セルの前記第２基板側に形成される第２蛍光体層と，
を備えることを特徴とする，請求項１〜１４のいずれかに記載のプラズマディスプレイパネル。
【請求項１６】
前記第１蛍光体層の厚さは，前記第２蛍光体層の厚さと比べて厚いことを特徴とする，請求項１５に記載のプラズマディスプレイパネル。
【請求項１７】
アドレシング期間では前記第２電極に走査パルスが印加され，前記第２電極に対応して隣接する放電セルの境界に前記アドレス電極の前記突出部が対応することを特徴とする，請求項１〜１６のいずれかに記載のプラズマディスプレイパネル。
【請求項１８】
前記アドレス電極は前記第１基板側に隣接して配設され，前記第１電極および前記第２電極は前記第２基板側に隣接して配設され，
前記アドレス電極の前記第２基板側の端面群が形成する仮想平面と，前記第１電極および前記第２電極の前記第１基板側の端面群が形成する仮想平面との間には，所定の間隔が形成されることを特徴とする，請求項１〜１７のいずれかに記載のプラズマディスプレイパネル。
【発明の詳細な説明】
【技術分野】
【０００１】
本発明は，プラズマディスプレイパネルに係り，より詳しくは放電開始電圧を低く抑えるとともに発光効率を高めることが可能なプラズマディスプレイパネルに関する。
【背景技術】
【０００２】
３電極面放電形プラズマディスプレイパネル（Ｐｌａｓｍａ  Ｄｉｓｐｌａｙ  Ｐａｎｅｌ，以下「ＰＤＰ」という。）は，同一面上に配される維持電極および走査電極を含む基板と，両電極と所定の離隔距離を有し且つ交差方向に配されるアドレス電極を含む基板とで構成され，両基板間には放電ガスが充填される。
【０００３】
ＰＤＰでは，各駆動信号線により互いに独立制御される走査電極とアドレス電極との間の放電（アドレス放電）によって放電の有無が決定され，互いに同一面上に配される維持電極と走査電極との間の放電（維持放電）によって画面が表示される。
【０００４】
ＰＤＰでは，グロー放電により可視光を発生させるが，グロー放電の発生後，可視光が人の目に到達するまでには複数の過程を経る。すなわち，グロー放電による電子と気体等との衝突は励起状態の気体を生成し，この励起状態の気体から真空紫外線が生じる。可視光は，この真空紫外線が放電セル内の蛍光体に衝突することにより放出され，さらに前面の透明基板を透過して人の目に到達する。上記過程において，維持電極および走査電極に印加される入力エネルギー（印加電圧）は相当消費されることになる。
【０００５】
グロー放電は，維持電極と走査電極との間の印加電圧によって発生するが，放電開始電圧以上の非常に高い電圧を必要とする。放電が開始されると，陰極および陽極の周辺の誘電層に生成される空間電荷効果によって，両極間には歪曲された電圧分布が形成される。すなわち，放電のために両電極に印加された電圧の大部分を消費する陰極周辺の陰極シース領域，印加電圧の一部分を消費する陽極周辺の陽極シース領域，電圧を殆ど消費しない両領域間の陽極柱領域で構成される電圧分布が形成される。陰極シース領域では電子加熱の効率が誘電層表面に形成されるＭｇＯ保護膜の二次電子放出特性に依存すること，また陽極柱領域では印加電圧の大部分が電子加熱に消費されることは公知である。
【０００６】
蛍光体に衝突することにより可視光を放出させる真空紫外線は，励起状態のキセノン（Ｘｅ）気体が安定状態に転移する時に生じるが，このキセノン（Ｘｅ）気体の励起状態は，キセノン（Ｘｅ）気体と電子との衝突によって発生する。このため，電子加熱の効率を高めることでキセノン（Ｘｅ）気体と電子との衝突を促進することによって，所定の印加電圧に対して可視光が生成される比率（発光効率）を高めることが可能となる。
【０００７】
陰極シース領域では，印加電圧の大部分が消費されるが電子加熱の効率が低く，陽極柱領域では，印加電圧の消費が少なく電子加熱の効率が非常に高い。このため，陽極柱領域（放電ギャップ）を拡大することによって，電子加熱の効率を高め，さらに発光効率を高めることが可能となる。
【０００８】
また，放電ギャップに形成される電場（Ｅ）と放電ガスの密度（ｎ）との比（Ｅ/ｎ）が同一である場合，全体電子の中で消費される電子の比率は，励起状態のキセノン（Ｘｅ*），キセノンイオン（Ｘｅ+），励起状態のネオン（Ｎｅ*），ネオンイオン（Ｎｅ+）の順に高く，かつキセノン（Ｘｅ）の分圧が増加するほど電子エネルギーが減少することは公知である。
【０００９】
このため，電子エネルギーの減少によりキセノン（Ｘｅ）の分圧が増加すれば，励起状態のキセノン（Ｘｅ*），キセノンイオン（Ｘｅ+），励起状態のネオン（Ｎｅ*），ネオンイオン（Ｎｅ+）で消費される電子の中で，キセノン（Ｘｅ）の励起に消費される電子の比率が相対的に高くなることによって発光効率を高めることが可能となる。
【００１０】
上記のとおり，陽極柱領域の拡大が電子加熱の効率を高め，キセノン（Ｘｅ）分圧の増加が全体電子の中で励起状態のキセノン（Ｘｅ*）のために消費される電子加熱の効率を高める。したがって，陽極柱領域の拡大，キセノン（Ｘｅ）分圧の増加はいずれも，電子加熱の効率を高めることとなり発光効率を高めることが可能となる。
【００１１】
発光効率を高めるためには，低い放電開始電圧のもとで，陽極柱領域の増加およびキセノン（Ｘｅ）分圧の増加を実現する必要がある。
【００１２】
なお，放電ギャップの距離および電圧が同一である場合，放電開始に必要とされる電圧は，面放電構造と比較して対向放電構造の方が低いことは公知である。
【発明の開示】
【発明が解決しようとする課題】
【００１３】
しかし，従来の技術によれば，陽極柱領域の増加またはキセノン（Ｘｅ）分圧の増加は，いずれも放電開始電圧の増加につながるため，ＰＤＰの製造費用の増加を来たすという問題がある。
【００１４】
本発明は，このような問題に鑑みてなされたもので，その目的は，放電開始電圧を低く抑えるとともに発光効率を高めることが可能な，新規かつ改良されたＰＤＰを提供することにある。
【課題を解決するための手段】
【００１５】
上記課題を解決するために，本発明のある観点によれば，所定の間隔をおいて対向配置される第１基板および第２基板と，第１基板と第２基板との間の空間を区画することにより形成される複数の放電セルと，第１基板と第２基板との間に，第１方向に沿って伸長して配設されるアドレス電極と，第１基板と第２基板との間に，アドレス電極から離隔して，第１方向と交差する第２方向に伸長して配設され，第１方向に沿って相隣接する放電セルの各境界に対応する位置に，第１方向に交互に配設される第１電極および第２電極と，を備えるプラズマディスプレイパネルが提供される。本プラズマディスプレイパネルにおいて，第１電極および第２電極は，第１基板と第２基板に対して垂直方向に拡張された横断面形状を有し，相互に所定の間隔をおいて対向に配設される。さらに，アドレス電極は，第１電極または第２電極のいずれかに対応する相隣接する放電セルの各境界に対応する位置に，当該相隣接する放電セルのそれぞれに対応するように第２方向に突出する突出部を有する。
【００１６】
また，上記第１基板に隣接して複数の第１の放電空間を区画する第１隔壁層と，第２基板に隣接して複数の第１の放電空間に対向する複数の第２の放電空間を区画する第２隔壁層と，を備え，対向する一対の第１の放電空間および第２の放電空間によって，放電セルが形成されるようにしてもよい。
【００１７】
また，上記アドレス電極，第１電極および第２電極は，第１隔壁層と第２隔壁層との間に配設されるようにしてもよい。
【００１８】
また，上記第２の放電空間は，第１の放電空間より，大きな容積を有するようにしてもよい。
【００１９】
また，上記第１隔壁層は，第１方向に伸長して形成される第１隔壁部材を含み，第２隔壁層は，第１方向に伸長して形成される第３隔壁部材を含むようにしてもよい。
【００２０】
また，上記第１隔壁層は，第１隔壁部材と交差して形成される第２隔壁部材をさらに含み，第２隔壁層は，第３隔壁部材と交差して形成される第４隔壁部材をさらに含むようにしてもよい。
【００２１】
また，上記アドレス電極は，第２方向に沿って相隣接する一対の放電セルの境界を通るように配設されるようにしてもよい。
【００２２】
また，上記第１電極および第２電極は，金属電極で形成されるようにしてもよい。
【００２３】
また，上記第１電極および第２電極と前記アドレス電極の外周には，誘電層が形成されるようにしてもよい。
【００２４】
また，上記誘電層の外面には，保護膜が形成されるようにしてもよい。
【００２５】
また，上記保護膜は，可視光非透過性であるようにしてもよい。
【００２６】
また，上記アドレス電極は，第１基板側に隣接して配設され，第１電極および第２電極は，第２基板側に隣接して配設され，アドレス電極の第２基板側の端部が形成する仮想線と，第１電極および第２電極の第１基板側の端部が形成する仮想線との間には，所定の間隔が形成されるようにしてもよい。
【００２７】
また，上記アドレス電極の両基板に対して垂直方向の厚さは，第１電極の両基板に対して垂直方向の厚さと比べて，薄くなるようにしてもよい。
【００２８】
また，上記アドレス電極の両基板に対して垂直方向の厚さは，第２電極の両基板に対して垂直方向の厚さと比べて，薄くなるようにしてもよい。
【００２９】
また，上記各放電セル内に形成される蛍光体層は，放電セルの第１基板側に形成される第１蛍光体層と，第１蛍光体層の蛍光体と同一の色相の蛍光体で形成され，放電セルの第２基板側に形成される第２蛍光体層とを含むようにしてもよい。
【００３０】
また，上記第１蛍光体層の厚さは，第２蛍光体層の厚さと比べて厚くなるようにしてもよい。
【００３１】
また，アドレシング期間では第２電極に走査パルスが印加され，第２電極に対応して隣接する放電セルの境界にアドレス電極の突出部が対応するようにしてもよい。
【００３２】
また，上記アドレス電極は，第１基板側に隣接して配設され，第１電極および第２電極は第２基板側に隣接して配設され，アドレス電極の第２基板側の端面群が形成する仮想平面と，第１電極および第２電極の第１基板側の端面群が形成する仮想平面との間には，所定の間隔が形成されるようにしてもよい。
【発明の効果】
【００３３】
以上で説明したように，本発明によれば，対向放電構造を適用することにより，放電開始電圧を低く抑えるとともに発光効率を高めることができる。
【発明を実施するための最良の形態】
【００３４】
以下に，添付した図面を参照しながら，本発明の好適な実施形態について詳細に説明する。なお，本明細書および図面において，実質的に同一の機能構成を有する発明特定事項については，同一の符号を付することにより重複説明を省略する。
【００３５】
図１は，本発明の第１の実施形態にかかるＰＤＰを示す部分的な分解斜視図である。
【００３６】
図１に示すとおり，本実施形態にかかるＰＤＰは，基本的に所定の間隔をおいて対向配置される第１基板（背面基板１０）および第２基板（前面基板２０）と，両基板間に複数の放電空間を区画することにより形成される放電セル１８，２８を有する。
【００３７】
さらに，放電セル１８，２８は，第１隔壁層（背面板隔壁１６）および第２隔壁層（前面板隔壁２６）によって区画される。この放電セル１８，２８内には，真空紫外線を吸収することにより可視光を放出する蛍光体層１９，２９が形成され，プラズマ放電により真空紫外線を発生するために，放電ガス（例えば，キセノン（Ｘｅ）とネオン（Ｎｅ）などを含む混合ガス）が充填されている。
【００３８】
背面板隔壁１６は，背面基板１０から前面基板２０側に突出して配され，前面板隔壁２６は，前面基板２０から背面基板１０側に突出して配される。背面板隔壁１６は，背面基板１０に隣接する複数の放電空間（第１の放電空間に相当する。）を区画することにより一側の放電セル１８を形成し，前面板隔壁２６は，前面基板２０に隣接する複数の放電空間（第２の放電空間に相当する。）を区画することにより他側の放電セル２８を形成する。
【００３９】
上記のとおり，両側に互いに対向する放電空間によって，実質的に一つの放電セルが形成されるため，本実施形態では特に指摘しない限り，“放電セル１８，２８”は，２つの放電空間を合わせて一つに形成される放電空間を意味する。別の観点によれば，一つに繋がる放電空間である“放電セル１８，２８”は，背面板隔壁１６によって区画される層，前面板隔壁２６によって区画される層，電極が配設される中間層の３層で構成されているとみなされ，各層の寸法形状を適切に設定することによって性能の向上が図られる。
【００４０】
前面板隔壁２６によって区画される放電空間である一側の放電セル２８の容積は，背面板隔壁１６によって区画される放電空間である他側の放電セル１８の容積より大きく設定される。両放電空間（放電セル）の容積差によって，放電セル１８，２８から放出される可視光は，効果的に前面基板２０を透過することが可能となる。
【００４１】
背面板隔壁１６と前面板隔壁２６は，放電セル１８，２８を四角形または六角形など多様な形状に形成することが可能であるが，本実施形態では四角形に形成される放電セル１８，２８の場合を例示している。本実施形態では，背面板隔壁１６は，背面基板１０に配される第１方向に伸長する第１隔壁部材１６ａと第２方向に伸長する第２隔壁部材１６ｂとを含んで構成される。
【００４２】
第１隔壁部材１６ａが一方向（ｙ軸方向）に伸長して配され，第２隔壁部材１６ｂが第１隔壁部材１６ａと直交方向に伸長して配されることにより，背面基板１０側に放電セル１８が独立した放電空間として形成される。
【００４３】
前面板隔壁２６は，前面基板２０に配される第３方向に伸長する第３隔壁部材２６ａと第４方向に伸長する第４隔壁部材２６ｂとを含んで構成される。第３隔壁部材２６ａが，第１隔壁部材１６ａに対応する形状・方向を有し，背面基板１０側に突出して配され，第４隔壁部材２６ｂが，第２隔壁部材１６ｂに対応する形状・方向を有し，背面基板１０側に突出して配される。
【００４４】
よって，前面板隔壁２６の第３隔壁部材２６ａと第４隔壁部材２６ｂが，互いに直交方向に伸長して配されることにより，背面基板１０側の放電セル１８に対応する形で前面基板２０側に放電セル２８が形成される。
【００４５】
蛍光体層１９，２９は，背面基板１０側の放電セル１８に形成される第１蛍光体層１９と，前面基板２０側の放電セル２８に形成される第２蛍光体層２９とを含み，放電セル１８，２８内に形成される。背面板隔壁１６により形成される放電セル１８とこれに対向して前面板隔壁２６により形成される放電セル２８は，実質的に一つの放電セル１８，２８であるため，これらの内部にそれぞれ形成される第１蛍光体層１９および第２蛍光体層２９は，プラズマ放電で生じる真空紫外線の衝突によって同一色の可視光を放出する材料で形成される。
【００４６】
第１蛍光体層１９は，第１隔壁部材１６ａと第２隔壁部材１６ｂの各内側面と放電セル１８内の背面基板１０の表面に形成される。第２蛍光体層２９は，第３隔壁部材２６ａと第４隔壁部材２６ｂの各内側面と放電セル２８内の前面基板２０の表面に形成される。
【００４７】
図１に示すとおり，第１蛍光体層１９は，背面基板１０上に背面板隔壁１６を配した後，蛍光体を塗布して形成する事もでき，背面基板１０を放電セル１８の形状に相応するようにエッチングした後，エッチング面に蛍光体を塗布して形成する事も可能である。
【００４８】
第２蛍光体層２９は，前面基板２０上に前面板隔壁２６を配した後，蛍光体を塗布して形成する事もでき，前面基板２０を放電セル２８の形状に相応するようにエッチングした後，エッチング面に蛍光体を塗布して形成する事も可能である。
【００４９】
背面基板１０のエッチングにより背面板隔壁１６を形成すれば，背面基板１０と背面板隔壁１６は同一材料で形成され，前面基板２０のエッチングにより前面板隔壁２６を形成すれば，前面基板２０と前面板隔壁２６は同一材料で形成される。
【００５０】
エッチング成形の採用によって，背面板隔壁１６と背面基板１０とを別途に，または前面板隔壁２６と前面基板２０とを別途に成形する場合と比べて製造費用を低減することが可能である。
【００５１】
第１蛍光体層１９は，背面基板１０側の放電セル１８の内部で，第２蛍光体層２９は前面基板２０側の放電セル２８の内部でそれぞれ真空紫外線を吸収して，前面基板２０側に向けて可視光を放出する。また，可視光が，第１蛍光体層１９では反射され，第２蛍光体層２９では透過されるため，背面基板１０に形成される第１蛍光体層１９の厚さｔ１は，前面基板２０に形成される第２蛍光体層２９の厚さｔ２より厚く設定されるようにしてもよい（ｔ１>ｔ２）。このことにより，前面基板２０を透過する可視光の発光効率が向上する。また，熱歪みを軽減するなどの目的に応じて，背面基板１０を光透過性材料で形成する場合，背面基板１０の背面に，例えばアルミニウム鍍金による金属被覆を施すことによって発光効率を高めることも可能である。
【００５２】
上記により形成される第１蛍光体層１９および第２蛍光体層２９には，真空紫外線が衝突する。プラズマ放電によりこの真空紫外線を発生させて画像を表示するために，各放電セル１８，２８に対応するアドレス電極１２と，第１電極３１（維持電極）および第２電極３２（走査電極）が，背面基板１０と前面基板２０との間に配設される。
【００５３】
図２は，本実施形態にかかるＰＤＰにおける電極と放電セルの構造を概略的に示す要部平面図である。
【００５４】
図２に示すとおり，アドレス電極１２は，背面板隔壁１６と前面板隔壁２６との間に，維持電極３１および走査電極３２と直交方向（ｙ軸方向）に伸長して配され，ｘ軸方向に突出する突出部１２ａを有する。突出部１２ａを，アドレス電極１２の伸長方向（ｙ軸方向）に隣接する２個の放電セル１８，１８に共有させることにより，当該の隣接する放電セル１８を同時にアドレシングさせることもできる。
【００５５】
よって，突出部１２ａは，隣接する放電セル１８のうち，維持電極３１を共有する放電セル１８または走査電極３２を共有する放電セル１８のいずれかに共有される。
【００５６】
図２の一例においては，突出部１２ａが走査電極３２を共有する放電セル１８，１８に共有されている。このことにより，アドレス電極１２および走査電極３２は，アドレス電極１２の伸長方向（ｙ軸方向）に隣接する放電セル１８，１８のアドレス放電に関与する。また，隣接する放電セル１８が突出部１２ａを個々に有する構造と比べて，放電セル１８，１８中の突出部１２ａによる遮蔽面積が減少するため，可視光の遮蔽が抑制されることによって発光効率と輝度が向上する。
【００５７】
また，維持電極３１と走査電極３２は，背面板隔壁１６と前面板隔壁２６との間で相互に対向放電構造を呈して配されるため，互いに並列状態で一方向（ｘ軸方向）に伸長して配設される。また，維持電極３１および走査電極３２は，ｙ軸方向に隣接する放電セル１８の両側に交互に配され，それぞれ隣接する放電セル１８に共有される。このことにより，維持電極３１および走査電極３２は，アドレス電極１２の伸長方向（ｙ軸方向）に隣接する放電セル１８の維持放電に関与する。
【００５８】
よって，本実施形態によるＰＤＰでは，複数の維持電極３１および走査電極３２がそれぞれ偶数行および奇数行に区分されており，偶数行の維持放電に際して，偶数行の維持電極３１および走査電極３２に維持パルスを印加することにより，奇数行の維持放電に際して，奇数行の維持電極３１および走査電極３２に維持パルスを印加することにより，最終的に画像が表示される。
【００５９】
図３は，図１に示すＰＤＰを結合した状態におけるＩＩＩ−ＩＩＩ線での要部断面図であり，図４は，同様にＩＶ−ＩＶ線での要部断面図である。また，図５は，本実施形態にかかるＰＤＰにおける電極の構造を概略的に示す要部斜視図である。
【００６０】
図３，図４および図５に示すとおり，アドレス電極１２は，背面基板１０および前面基板２０のｚ軸方向に対して，背面板隔壁１６と前面板隔壁２６との間で一方向（ｙ軸方向）に伸長して配設される。
【００６１】
すなわち，各アドレス電極１２は，第１隔壁部材１６ａと第３隔壁部材２６ａとの間に両隔壁部材と平行方向（ｙ軸方向）に伸長して形成される。また，複数のアドレス電極１２は，ｘ軸方向に放電セル１８に対応する間隔を保持しながら並行に配設される。アドレス電極の突出部１２ａは，走査電極３２を共有して隣接する放電セル１８に共有される形で，ｙ軸方向に所定幅ｗを有してｘ軸方向に突出される。すなわち，突出部１２ａは，第２隔壁部材１６ｂと第４隔壁部材２６ｂとの間に，ｘ軸方向に走査電極３２と部分的に対応しながら，ｙ軸方向に隣接する放電セル１８の内部に突出される。
【００６２】
上記のとおり，隣接する放電セル１８に共有される走査電極３２およびアドレス電極の突出部１２ａは，相互に対応しながら配設される。よって，走査電極３２に走査パルス，アドレス電極１２にアドレスパルスをそれぞれ印加することによって，隣接する二つの放電セル１８中でアドレス放電が生じる。
【００６３】
また，突出部１２ａは，アドレス電極１２に印加されるアドレスパルスを隣接する放電セル１８，１８内に印加する。このことにより，放電ギャップが，隣接する放電セル１８，１８，２８内で突出部１２ａと走査電極３２との間の小さな間隔で形成されるため，アドレス放電に要する電圧を低く抑えることが可能となる。
【００６４】
本実施形態では，アドレス電極１２がｘ軸方向に隣接する放電セル１８の間で，第１隔壁部材１６ａと第３隔壁部材２６ａとの間に配されるため，ｘ軸方向に隣接する放電セル１８を区分することが可能となる。
【００６５】
また，維持電極３１および走査電極３２は，背面基板１０および前面基板２０のｚ軸方向に対して，背面板隔壁１６と前面板隔壁２６との間にアドレス電極１２と直交方向（ｘ軸方向）に伸長して配設される。
【００６６】
また，維持電極３１および走査電極３２は，アドレス電極１２と電気的に絶縁される。すなわち，維持電極３１および走査電極３２は，第２隔壁部材１６ｂと第４隔壁部材２６ｂとの間に両隔壁部材と平行方向（ｘ軸方向）に伸長して配設される。また，維持電極３１および走査電極３２は，アドレス電極１２の伸長方向で隣接する放電セル１８に共有される形で交互に配設される。
【００６７】
本実施形態では，維持電極３１および走査電極３２が，第２隔壁部材１６ｂと第４隔壁部材２６ｂとの間に，隣接する放電セル１８，１８と交互に配設されるため，維持電極３１および走査電極３２が，アドレス電極１２の伸長方向（ｙ軸方向）に隣接する放電セル１８を区分することが可能となる。
【００６８】
走査電極３２は，アドレス電極１２と共にアドレス期間のアドレス放電に関与して点灯される放電セル１８，２８を選択する役割を果たす。維持電極３１および走査電極３２は，維持期間の維持放電に関与して画面を表示する役割を果たす。
【００６９】
すなわち，維持電極３１には維持期間で維持パルス，走査電極３２には維持期間で維持パルス，走査期間で走査パルスがそれぞれ印加される。しかし，各電極は，印加される信号電圧に応じて異なる役割を果たすことが可能であるため，本発明が上記の実施形態に限定される必要はない。
【００７０】
維持電極３１および走査電極３２は，背面基板１０と前面基板２０との間に配されて，放電セル１８，２８をその両側（ｚ軸方向）に区画する。上記のごとく構成される対向放電構造では，従来の面放電構造と比べた場合，維持放電のための放電開始電圧を低くすることが可能であり，さらに発光効率を高めることが可能である。
【００７１】
また，維持電極３１および走査電極３２の可能な限り広い面積で対向放電が生じることを目的として，両電極の横断面形状を，各放電セル１８，２８に対応して背面基板１０または前面基板２０と垂直方向の長さ（ｈｖ）を，水平方向の長さ（ｈｈ）より長く設定することが可能である。このことにより，両電極の対向面間，すなわち図３の左右両側面間で生じる対向放電によって発生する強力な真空紫外線が，放電セル１８，２８内部の広い面積に形成される蛍光体層１９，２９と衝突し，多量の可視光が放出される。
【００７２】
また，背面板隔壁１６と前面板隔壁２６との間に，アドレス電極１２は背面基板１０側に隣接し，維持電極３１および走査電極３２は前面基板２０側に隣接して配設される。
【００７３】
また，アドレス電極１２の前面基板２０側の端部が形成する仮想線Ｌ１と，維持電極３１および走査電極３２の背面基板１０側の端部が形成する仮想線Ｌ２との間に，間隔Ｃ１が形成される。このことにより，互いに交差される維持電極３１および走査電極３２とアドレス電極１２は，相互に干渉しない状態となる。
【００７４】
なお状況によっては，アドレス電極１２が背面基板１０側に隣接して，維持電極３１および走査電極３２が前面基板２０側に隣接してそれぞれ配設される。よって，アドレス電極の前面基板１０側の端面群が形成する仮想平面ＰＬ１と，維持電極３１および走査電極３２の背面基板側の端面群が形成する仮想平面ＰＬ２とは平行面を形成し，両平面の間に間隔Ｃ１が形成される，とも解釈できる。この場合，平面ＰＬ１，ＰＬ２は，それぞれ図３の線Ｌ１，Ｌ２に対応する。本解釈は，特に当該仮想線Ｌ１，Ｌ２が不明確な場合に適用される。
【００７５】
また，背面基板１０および前面基板２０と垂直方向の断面では，アドレス電極１２の高さ（厚さ）ｔ３は，維持電極３１の高さ（厚さ）ｔ４および走査電極３２の高さ（厚さ）ｔ５より低く（薄く）設定される。このことにより，アドレス電極１２に印加されるアドレスパルスと比べて，相対的に高電圧の維持パルスを維持電極３１および走査電極３２に安定的に印加することが可能である。
【００７６】
当該維持電極３１および走査電極３２とアドレス電極１２は，非発光領域である背面板隔壁１６と前面板隔壁２６との間にある放電セル境界部に配されて，発光効率および光透過効率を阻害しないため，通電性に優れる金属で形成することが可能である。
【００７７】
維持電極３１および走査電極３２とアドレス電極１２の外面には，壁電荷を蓄積しつつ，各電極間で絶縁構造を形成する誘電層３４，３５が形成される。
【００７８】
また，維持電極３１および走査電極３２とアドレス電極１２は，厚膜セラミックシート（ＴＦＣＳ；Ｔｈｉｃｋ  Ｆｉｌｍ  Ｃｅｒａｍｉｃ  Ｓｈｅｅｔ）法により形成することも可能である。すなわち，維持電極３１および走査電極３２とアドレス電極１２を含む電極部を別途に形成した後，背面板隔壁１６が形成されている背面基板１０に結合して形成することも可能である。
【００７９】
維持電極３１および走査電極３２とアドレス電極１２を被覆する誘電層３４，３５の表面には，保護膜３６を形成することが可能である。特に保護膜３６は，放電セル１８，２８内部の放電空間で生じるプラズマ放電に露出する部分に形成されることが可能である。
【００８０】
保護膜３６は，誘電層３４，３５を保護するとともに，低い放電開始電圧を実現するためには高い二次電子放出特性を必要とするが，可視光透過性を有する必要はない。すなわち，維持電極３１および走査電極３２とアドレス電極１２が，前面基板２０および背面基板１０ではなく両基板の間に配されるため，維持電極３１および走査電極３２とアドレス電極１２を被覆する誘電層３４，３５に塗布される保護膜３６は，可視光非透過性を有する物質で形成することが可能である。保護膜３６の構成物質の一例と考えられる可視光非透過性ＭｇＯは，可視光透過性ＭｇＯと比べて，高い二次電子放出特性を有するため，放電開始電圧をさらに低く抑えることが可能である。上記のＭｇＯの物質特性を利用して，維持電極３１および走査電極３２を可視光非透過性ＭｇＯで被覆し，アドレス電極１２を二次電子放出特性の低い物質，例えば可視光透過性ＭｇＯで被覆することにより，維持放電時にアドレス電極１２を介する放電を生じ難くすることが可能である。上記のとおり両電極間で二次電子放出特性が異なる場合，例えばアドレス電極を陰極にすると放電開始電圧を低減できるなど，放電開始電圧の極性依存性が発現されることが予想されるため，状況を確認した上で放電仕様を決定する必要がある。また，維持放電の駆動波形も陰陽非対称にすることを考慮しなければならない。
【００８１】
また，アドレス電極１２が同一の誘電率を有する誘電層３５で被覆されるため，赤色（Ｒ），緑色（Ｇ），青色（Ｂ）の蛍光体層１９，２９の間で同一の放電開始電圧が形成され，高い電圧マージンが形成される。
【００８２】
本実施形態のＰＤＰでは，背面基板１０と前面基板２０との間に電極が配され，隣接する放電セル１８，２８の両側に維持電極３１および走査電極３２が交互に配設されることによって，隣接する放電セル１８，２８が維持電極３１および走査電極３２を共有する。さらに，隣接する放電セル１８，２８が走査電極３２と共にアドレス電極の突出部１２ａを共有する。
【００８３】
本構造の適用によって，各放電セル１８，２８がアドレス電極の突出部１２ａを個々に有する構造と比べた場合，放電セル１８，２８の開口率が確保されることにより発光効率を高める効果を有する。
【００８４】
以上，添付図面を参照しながら本発明の好適な実施形態について説明したが，本発明はかかる例に限定されない。当業者であれば，特許請求の範囲に記載された技術的思想の範疇内において，各種の変更例または修正例に想到し得ることは明らかであり，それらについても当然に本発明の技術的範疇に属するものと了解される。
【図面の簡単な説明】
【００８５】
【図１】本発明の第１の実施形態にかかるＰＤＰを示す部分的な分解斜視図である。
【図２】同実施形態にかかるＰＤＰにおける電極と放電セルの構造を概略的に示す要部平面図である。
【図３】図１に示すＰＤＰを結合した状態におけるＩＩＩ−ＩＩＩ線での要部断面図である。
【図４】図１に示すＰＤＰを結合した状態におけるＩＶ−ＩＶ線での要部断面図である。
【図５】同実施形態にかかるＰＤＰにおける電極の構造を概略的に示す要部斜視図である。
【符号の説明】
【００８６】
１０        背面基板
１２        アドレス電極
１２ａ      突出部
１６        背面板隔壁
１６ａ      第１隔壁部材
１６ｂ      第２隔壁部材
１８，２８  放電セル
１９，２９  蛍光体層
２０        前面基板
２６        前面板隔壁
２６ａ      第３隔壁部材
２６ｂ      第４隔壁部材
３１        維持電極
３２        走査電極
３４，３５  誘電層
３６        保護膜
【図１】
2006202719.tif 000003
【図２】
2006202719.tif 000004
【図３】
2006202719.tif 000005
【図４】
2006202719.tif 000006
【図５】
2006202719.tif 000007